(57)【要約】【課題】導管内のベンチュリ管２０の入口の圧力に基づいて圧力信号を発生するように構成された第１のセンサ３４、およびベンチュリ管上の差圧に基づいて差圧信号を発生するように構成された第２のセンサ３２を備える沸騰水型原子炉（ＢＷＲ）の導管を通る蒸気流量速度を決定するシステムおよび方法を提供すること。【解決手段】プロセッサ３６は、圧力信号および差圧信号に基づいて瞬間蒸気流量速度を決定する。【選択図】図３
2007101537.tif 000002
【特許請求の範囲】
【請求項１】
原子炉内の瞬間蒸気流量速度を測定するデバイスであって、
ベンチュリ管の入口の圧力を測定する第１のセンサと、
前記ベンチュリ管上の差圧を測定する第２のセンサと、
前記測定された入口圧力および差圧に基づいて瞬間蒸気流量速度を計算するプロセッサとを備えるデバイス。
【請求項２】
前記プロセッサは、複数の入力のうちの少なくとも１つに基づいて制御信号を発生する請求項１記載のデバイス。
【請求項３】
複数の入力のうちの前記少なくとも１つは、給水温度入力、給水質量流入力、ドーム圧力入力、および追加のプロセッサからの入力を含む請求項２記載のデバイス。
【請求項４】
前記プロセッサは、蒸気管路水分入力を受け取る請求項１記載のデバイス。
【請求項５】
前記プロセッサは、前記蒸気管路水分入力に基づいて前記ベンチュリ管入口のところの水分量を決定する請求項４記載のデバイス。
【請求項６】
前記プロセッサは、前記ベンチュリ管入口のところの前記圧力および水分量に基づいて密度および断熱膨張係数を決定する請求項５記載のデバイス。
【請求項７】
前記プロセッサは、前記決定された密度および断熱膨張係数に基づいて前記瞬間蒸気流量速度を計算する請求項６記載のデバイス。
【請求項８】
前記プロセッサは、前記瞬間流量速度を複数の制御システムのうちの少なくとも１つに出力する請求項７記載のデバイス。
【請求項９】
原子炉内の瞬間蒸気流量速度を決定する方法であって、
ベンチュリ管の入口の受け取った現在の圧力値および前記ベンチュリ管上の現在の差圧値に基づいて与えられた時刻に瞬間蒸気流量速度を計算することを含む方法。
【請求項１０】
前記計算することは、前記ベンチュリ管入口のところの前記圧力および水分量に基づいて密度および断熱膨張係数を決定することを含み、前記決定された密度および断熱膨張係数に基づいて前記瞬間蒸気流量速度を計算する請求項９記載の方法。
【請求項１１】
原子炉内の瞬間蒸気流量速度を決定する方法であって、
ベンチュリ管の入口の現在の圧力値、前記ベンチュリ管の前記入口の現在の含水値、および前記ベンチュリ管上の現在の差圧値を受け取ることと、
前記ベンチュリ管入口のところの前記圧力および水分に基づいて密度および断熱膨張係数を決定することと、
前記密度および前記断熱膨張係数および前記現在の差圧値とともに前記瞬間蒸気流量速度を計算することと、
前記計算された瞬間蒸気流量速度に少なくとも一部は基づいて制御信号を出力することとを含む方法。
【発明の詳細な説明】
【技術分野】
【０００１】
本発明は、沸騰水型原子炉（ＢＷＲ）に関し、より具体的には、ＢＷＲ内の蒸気流を測定することに関する。
【背景技術】
【０００２】
沸騰水型原子炉（ＢＷＲ）は、水を蒸気に変えて、タービンを駆動することにより発電する。次いで、蒸気は、水に戻され、さらに、原子炉内に返される。ＢＷＲは、燃料要素または燃料バンドル内に集められた燃料棒の形で原子炉の燃料（例えば、ウラン）を格納する反応槽を含む。燃料は、ポンプで原子炉心に通される給水により冷却される。燃料棒から給水への熱伝達が給水の沸騰を引き起こし、水−蒸気混合体を発生する。水−蒸気混合体は、原子炉心の上に配置されている汽水分離器および蒸気乾燥機内で水と蒸気に分離される。乾燥蒸気は、蒸気管路を通じてタービンプラントへと導かれ、発電機を駆動する。発電機からの蒸気は、復水器内で凝縮され、冷媒（例えば、海水、河川水、または冷却塔からの水）により冷却され、再び、ＢＷＲを循環する。
【発明の開示】
【発明が解決しようとする課題】
【０００３】
ＢＷＲの動作は、蒸気管路内を通る蒸気流量速度に基づいて部分的に制御される。さらに、主蒸気隔離弁を閉じるなどの何らかの保護動作も、蒸気管路を通る高蒸気流の測定結果に基づく。従来、ベンチュリ管がそれぞれの蒸気管路内に取り付けられ、蒸気流量速度は、ベンチュリ管上の（つまり、ベンチュリ管の入口とスロートとの間の）差圧に基づいて決定される。乾燥蒸気および定格ドーム圧力に基づく較正定数も、従来の蒸気流測定で使用される。しかし、この従来の蒸気流量速度測定法は、望むとおりの精度を有しない。より具体的には、ベンチュリ管上の差圧に基づく測定は通常の蒸気流条件の下では正確であるが、これらの測定は、高水分量および／または高蒸気流量速度の条件では精度が劣る。そこで、制御と保護の両方の機能の改善は、より正確な蒸気流測定により達成可能である。
【０００４】
さらに、ＢＷＲは、元の定格出力よりも高い出力レベルで動作する能力を有する。しかし、出力を上げると、蒸気管路に入る前に蒸気を乾燥させるために使用されるＢＷＲコンポーネント（例えば、汽水分離器および乾燥機）の性能が影響を受ける。このような条件の下で、蒸気管路を通りタービンへ流れる蒸気中の水分の変化を知ることができれば有益である。従来、水分は、給水または蒸気管路からサンプルを抽出し、水から蒸気に持ち越された可溶性物質（Ｎａ−２４）の放射能の量を測定することを伴うオフラインサンプリングにより測定される。したがって、蒸気管路の水分の変化をオフラインで測定することは、定格を上げた条件の下で汽水分離器および乾燥機が正常に機能するようにするためには非常に望ましいことであろう。
【課題を解決するための手段】
【０００５】
本発明の例示的な実施形態は、沸騰水型原子炉（ＢＷＲ）の導管を通る蒸気流量速度を測定するシステムを実現する。システムは、導管内のベンチュリ管の入口の圧力に基づいて圧力信号を発生するように構成された第１のセンサ、およびベンチュリ管上の差圧に基づいて差圧信号を発生するように構成されたベンチュリ管スロートのところにある第２のセンサを備えることができる。プロセッサは、ベンチュリ管ΔＰ信号、ならびにＢＷＲ原子炉ドームおよびベンチュリ管入口内の圧力センサからの信号を使用して蒸気管路内の瞬間蒸気流量速度を決定し、蒸気管路圧力降下による蒸気特性の変化を補償する。
【０００６】
例示的な実施形態では、蒸気流計算は、ベンチュリΔＰ方程式をリアルタイムで解くことに基づくことができる。
【０００７】
例示的な実施形態では、測定された蒸気流を制御システムに送り、自動ＢＷＲ給水および水位制御を改善することができる。
【０００８】
例示的な実施形態では、蒸気流信号をプラント保護システムに送信し、蒸気流量速度が所定の安全性限界を超えたときにプラント保護機能を自動的に起動するようにできる。
【０００９】
他の例示的な実施形態では、通常の定常状態稼働中に、給水および制御棒駆動部水流入量を測定された蒸気流出量と比較することができる。
【００１０】
他の例示的な実施形態では、プロセッサは、蒸気管路内のチョーク流にマージンを連続的に与えるようにできる。
【００１１】
他の例示的な実施形態では、チョーク流のマージンは、リアルタイムで連続監視することができ、またＢＷＲプラント診断のため制御室オペレータに送ることができる。
【００１２】
例示的な一実施形態では、プロセッサは、個々の測定された蒸気流量速度に基づいて総蒸気流量速度を決定し、流量速度をすべてのＢＷＲ水流入量の合計と比較し、これにより、水流入および蒸気流出質量が通常の定常状態動作に関して一致することを確実にする診断ツールを実現する。
【００１３】
他の例示的な実施形態では、水流入量は、水流測定センサ（および密度決定用の給水管路内の温度測定センサ）により発生される信号から導かれた給水流量速度、および制御棒駆動システムからの水流入量を加えることにより求めることができる。
【００１４】
他の例示的な実施形態では、水流入および蒸気流出比較信号は、ＢＷＲプラント診断のため制御室オペレータに送ることができる。
【００１５】
例示的な一実施形態では、プロセッサは、通常の定常状態動作で様々な蒸気管路からの流量速度測定結果の変化を統計的に評価することにより水分のいかなる著しい変化もオンラインで決定する。
【００１６】
他の例示的な実施形態では、オンライン情報は、ＢＷＲプラント診断のため制御室オペレータに送ることができる。
【００１７】
本発明は、詳細な説明および付属の図面からより完全に理解されるであろう。
【発明を実施するための最良の形態】
【００１８】
本発明を適用可能な分野は、以下で述べる詳細な説明から明白になるであろう。詳細な説明および特定の例は、本発明の好ましい実施形態を示しているが、例示目的のみを意図しており、本発明の範囲を限定する意図はない。
【００１９】
そこで図１を参照すると、例示的な沸騰水型原子炉（ＢＷＲ）１０の概略が示されている。ＢＷＲ１０は、原子炉１２、原子炉への給水入力１４（一重線１４として機能が示されている複数の給水管路を介して）および原子炉１２からの主蒸気出力１６（一重線、ＳＬＭＡＩＮ１６として機能が示されている複数の主蒸気管路を介して）を備える。給水管路１４を介して供給される水は、原子炉１２内で沸騰させられ、蒸気を発生する。より具体的には、水が原子炉心（図に示されていない）内を循環し、熱が燃料集合体またはバンドル（図に示されていない）から水に伝達される。蒸気が原子炉１２のドーム１８に向かって上昇し、そこで、汽水分離器および乾燥機（図に示されていない）が蒸気から水を除去する。蒸気は、原子炉１２から複数の蒸気管路（ＳＬ１、ＳＬ２、…、ＳＬｎ）を通って流れる。蒸気管路は、蒸気を発電機のタービンに通し、電力を発生する。蒸気は、冷却プロセスに通され、凝縮されて水に戻され、その水はポンプで給水として送り返され、再びＢＷＲ１０を循環する。
【００２０】
次に、図２を参照すると、それぞれの蒸気管路（ＳＬ１、ＳＬ２、…、ＳＬｎ）１６は、そこに配置されたベンチュリ管２０、および関連する流れ測定システム（ＦＭＳ１、ＦＭＳ２、…、ＦＭＳｎ）２２を備える。ＦＭＳ２２は、それぞれの蒸気管路を通る蒸気流量速度を決定する。より具体的には、それぞれのＦＭＳ２２は、ベンチュリ管２０のところの圧力に基づく蒸気流量速度および他の診断情報、ドーム圧力センサ２４により検出されたドーム圧力（ＰＤＯＭＥ）、給水温度センサ２６により検出された給水温度（ＴＦＷ）、質量流量速度センサ２８により検出された給水質量流量速度（m’FW）、および他のＦＭＳ２２からのフィードバックを決定する。ＦＭＳ２２は、蒸気流量速度信号をＢＷＲの他のシステム３０に供給する。これら他のシステムは、限定はしないが、安全システム、制御システム、プロセスコンピュータ、および制御室オペレータコンソールを備えることができる。
【００２１】
次に図３を参照すると、１つのＦＭＳ２２の詳細が例示されている。ＦＭＳ２２は、差圧センサ３２、ゲージ圧センサ３４、およびポストプロセッサ３６を備える。差圧センサ３２は、（１）ベンチュリ管２０の入口３８の入口圧力および（２）ベンチュリ管２０のスロート４０のスロート圧力と流体で連絡し、それに応答する。ゲージ圧センサ３４は、ベンチュリ管２０の入口３８のところの入口圧力と流体で連絡し、それに応答する。差圧センサ３２は、入口圧力およびスロート圧力に基づいて差圧（ＰＤＩＦＦ）信号を発生する。ゲージ圧センサ３４は、入口圧力に基づいてゲージ圧（ＰＧＡＵＧＥ）信号を発生し、入口圧力タップを過ぎて流れる蒸気の速度について補正される。
【００２２】
ポストプロセッサ３６は、ＰＧＡＵＧＥとＰＤＩＦＦの両方を受信する。ポストプロセッサ３６は、さらに、他のＦＭＳ２２、ＴＦＷ、ｍ’ＦＷ、およびＰＤＯＭＥから蒸気流量速度情報を受け取る。ポストプロセッサ３６では、ドーム１８内で所定の水分値を使用し、ベンチュリ管入口の水分量を決定する実験式および熱力学的関係式を立てて、蒸気中の水分を計算する。他の例示的な一実施形態では、蒸気水分入力は、オフライン測定結果に基づいて手動により与えることができる。ホストプロセッサ３６では、閉形式の実験式を使用して、ベンチュリ管２０における圧力および水分に対応する密度および断熱膨張係数を決定する。それとは別に、プロセッサは、従来のＡＳＭＥ蒸気表に基づくルックアップテーブルを使用して、これらの蒸気特性を計算することができる。次いで、後述のように、ポストプロセッサ３６は、これらの入力を使用し、実際の蒸気流量速度を計算する。
【００２３】
ポストプロセッサ３６は、
【００２４】
【数１】
2007101537.tif 000003
【００２５】
に基づいて蒸気流量速度を決定することができ、ただし、Ｃは放出係数、Ｙは断熱膨張係数、ｄはベンチュリ管２０のスロート直径、Ｆａはベンチュリ管２０の熱膨張係数、ρは入口の質量密度、βはベンチュリ管２０のスロート直径と入口直径との比である。これらの係数のほとんどは定数であるが、Ｙは、スロート圧力と入口圧力との比に依存する。ポストプロセッサ３６は、ベンチュリ管のところの実際の圧力および密度に基づいてＹを計算し、ｍ’ＳＴＥＡＭに対するより正確な結果を与えることができる。
【００２６】
ＦＭＳ２２は、さらに、管摩擦および蒸気速度の結果としてベンチュリ管２０のところの圧力損失の主な原因ともなりうる。より具体的には、ポストプロセッサ３６は、ＰＤＯＭＥおよびＰＧＡＵＧＥに基づいて、またタップの口を通り過ぎる蒸気流に対するＰＧＡＵＧＥを適切に補正して、原子炉１２からベンチュリ管入口までの圧力降下を計算することができる。ポストプロセッサ３６は、例えば、実験式および熱力学的関係式を使用して圧力降下に基づき水分量および蒸気密度の変化を計算することができる。したがって、ベンチュリ圧力読み取りおよび断熱膨張係数を組み合わせると、より正確な蒸気流量速度測定結果が得られる。
【００２７】
ＦＭＳ２２は、高蒸気流条件のときに主蒸気隔離弁（ＭＳＩＶ）（図に示されていない）による隔離をトリガする保護システムへの入力を行うことができる。隔離は、ＭＳＩＶが閉じられたときに発生し、主蒸気管路を通る蒸気流を阻止する。より具体的には、蒸気流量速度の正確な読み取りを行うようにすることにより、ＭＳＩＶは、必要な場合のみ蒸気管路の１つまたは複数を隔離する。例えば、蒸気流量速度の読み取りがあまり正確でないと、隔離が過剰になる可能性があり、それがＢＷＲシステム全体の効率を低下させる。隔離は、一般に、蒸気流量速度が所定の設定点（例えば、１４０％）に達したときにトリガされる。ＦＭＳ２２は、設定点のところの圧力および密度に対する蒸気流量速度を補正し、稼働マージンを改善し、ＭＳＩＶの偽閉鎖の確率を小さくする。例えば、１４０％の流れ条件では、圧力降下補正は、ちょうど２０ｐｓｉの圧力降下に対しおおよそ４．４％の誤差の原因となる。
【００２８】
ＦＭＳ２２は、さらに、異常な蒸気流状況の把握を高めるためにも使用できる。このような異常の発生は、蒸気管路内に高水分蒸気がある状態のときに検出されている。ＦＭＳ２２は、蒸気乾燥機の不具合の結果発生する可能性のある高水分状態をプラントオペレータに警告することができる。このようにして、ＦＭＳ出力は、蒸気乾燥機または汽水分離器などの上流コンポーネントの異常動作を検出する診断機能として使用することができる。
【００２９】
さらに、ＦＭＳ２２は、正確な蒸気流量速度測定を行うので、通常のプラント制御性能および設定点機能を改善できる。プラント熱収支方程式の精度を改善することにより、さらにメリットが得られる。現在、プロセスコンピュータは、デフォルトの水分値（例えば、０．１％）を使用して熱収支計算を行っている。ＦＭＳ２２によって得られるような、より正確な値が得られれば、熱収支をより正確に決定することができる。
【００３０】
ＦＭＳは、より正確な蒸気流量速度測定を行うことによりＢＷＲ制御を改善する。より具体的には、ポストプロセッサは、質量密度、圧力、および水分の蒸気流量速度測定を補正することができる。ＦＭＳにより計算されたオンライン蒸気流量速度は、ＢＷＲ制御室および他の関連する制御システムに送られる。ＦＭＳは、さらに、現在の蒸気条件の下でチョーク流に対する差圧を計算することによりチョーク流に対し連続的オンラインにすることもできる。
【００３１】
本発明の例示的な実施形態は、沸騰水型原子炉（ＢＷＲ）の導管を通る蒸気流量速度を測定するシステムを実現する。システムは、導管内のベンチュリ管の入口の圧力に基づいて圧力信号を発生するように構成された第１のセンサ、およびベンチュリ管上の差圧に基づいて差圧信号を発生するように構成されたベンチュリ管スロートのところにある第２のセンサを備えることができる。プロセッサは、ベンチュリ管ΔＰ信号、ならびにＢＷＲ原子炉ドームおよびベンチュリ管入口内の圧力センサからの信号を使用して蒸気管路内の瞬間蒸気流量速度を決定し、蒸気管路圧力降下による蒸気特性の変化を補償する。蒸気流計算は、ベンチュリΔＰ方程式をリアルタイムで解くことに基づき、流れがベンチュリΔＰの平方根に比例するという仮定に基づく従来の蒸気流計装システムよりも著しく正確な場合がある。
【００３２】
他の例示的な実施形態では、測定された蒸気流を制御システムに送り、自動ＢＷＲ給水および水位制御を改善することができる。
【００３３】
他の例示的な実施形態では、測定された正確な蒸気流用のプロセッサを、原子力安全システム（クラス１Ｅ）用途向けにパッケージングし、その用途に対応させることができ、蒸気流量速度が所定の安全性限界を超えたときにプラント保護機能を自動的に起動するプラント保護システムに蒸気流信号を送ることができる。
【００３４】
他の例示的な実施形態では、プロセッサは、蒸気管路内のチョーク流にマージンを連続的に与えるようにできる。プロセッサは、ＢＷＲプラント診断のため制御室オペレータに送る信号を供給する。
【００３５】
他の例示的な実施形態では、プロセッサは、個々の測定された蒸気流量速度に基づいて総蒸気流量速度を決定し、その流量速度をすべてのＢＷＲ水流入量の合計と比較し、これにより、水流入および蒸気流出質量が通常の定常状態動作に関して一致することを確実にする診断ツールを実現する。水流入量は、水流測定センサ（および密度決定用の給水管路内の温度測定センサ）により発生される信号から導かれた給水流量速度と、制御棒駆動システムからの知られている小水流入量を加えることにより求めることができる。水流入および蒸気流出比較信号は、ＢＷＲプラント診断のため制御室オペレータに送ることができる。
【００３６】
他の例示的な実施形態では、プロセッサは、通常の定常状態動作で様々な蒸気管路からの流量速度測定結果の変化を統計的に評価することにより水分のいかなる著しい変化もオンラインで決定する。情報は、ＢＷＲプラント診断のため制御室オペレータに送ることができる。
【００３７】
本発明の説明は、本質的に単に例示的であるにすぎず、そのため、多数の変更形態および修正形態は、容易に理解され、本発明の範囲内にあることを意図されている。このような変更形態は、本発明の精神および範囲からの逸脱とみなされない。
【図面の簡単な説明】
【００３８】
【図１】本発明の例示的な一実施形態による沸騰水型原子炉の概略図である。
【図２】本発明の例示的な一実施形態による複数の蒸気管路を備える蒸気管路システムおよび関連する流れ測定システム（ＦＭＳ）の概略図である。
【図３】本発明の例示的な一実施形態によるＦＭＳを含む例示的な蒸気管路の概略図である。
【符号の説明】
【００３９】
１０  ＢＷＲ
１２  原子炉
１４  給水入力
１６  主蒸気出力
１８  原子炉ドーム
２０  ベンチュリ管
２２  流れ測定システム（ＦＭＳ）
２４  ドーム圧力センサ
２６  給水温度センサ
２８  質量流量速度センサ
３０  他のシステム
３２  差圧センサ
３４  ゲージ圧センサ
３６  ポストプロセッサ
３８  入口
４０  スロート
【図１】
2007101537.tif 000004
【図２】
2007101537.tif 000005
【図３】
2007101537.tif 000006